(57)【要約】【課題】回収ボックスの設置を省略することができるとともに、オーバーフロー貨幣以外の回収貨幣の回収動作を適切に行うことができる貨幣処理装置を提供する。【解決手段】各収納放出部５０に収納することができないオーバーフロー貨幣、および貨幣処理装置１０から回収されるべき回収貨幣を収納するオーバーフロー部８０が設けられている。制御部９０は、回収貨幣を搬送部２０からオーバーフロー部８０に送る第１のモードおよび回収貨幣を搬送部２０から貨幣投出口１８に送る第２のモードのうちいずれか一方のモードを選択的に行うようになっている。【選択図】図４
2013012058.tif 000002
【特許請求の範囲】
【請求項１】
貨幣の処理を行う貨幣処理装置であって、
機体外から貨幣を受け入れる貨幣受入口と、
前記機体外へ貨幣を投出する貨幣投出口と、
前記貨幣受入口により前記機体外から受け入れられた貨幣を搬送する搬送部と、
前記搬送部に設けられ、当該搬送部により搬送される貨幣の識別を行う識別部と、
前記識別部による貨幣の識別結果に基づいて前記搬送部から貨幣が送られるようになっており、各々が貨幣を収納するとともに収納された貨幣を放出する複数の収納放出部と、
前記各収納放出部に収納することができないオーバーフロー貨幣、および前記貨幣処理装置から回収されるべき回収貨幣を収納するオーバーフロー部と、
前記搬送部を制御する制御部であって、前記回収貨幣を前記搬送部から前記オーバーフロー部に送る第１のモードおよび前記回収貨幣を前記搬送部から前記貨幣投出口に送る第２のモードのうちいずれか一方のモードを選択的に行う制御部と、
を備えたことを特徴とする貨幣処理装置。
【請求項２】
前記制御部において、通常時は前記第１のモードにより前記搬送部の制御が行われるようになっており、前記オーバーフロー部に収納された貨幣が前記貨幣受入口に投入された場合には前記第２のモードにより前記搬送部の制御が行われるようになっていることを特徴とする請求項１記載の貨幣処理装置。
【請求項３】
前記制御部において、前記回収貨幣の種類が予め設定されていることを特徴とする請求項１または２記載の貨幣処理装置。
【請求項４】
前記第１のモードおよび前記第２のモードのうちどちらのモードを行うかを前記制御部に入力するためのモード入力部を更に備えたことを特徴とする請求項１乃至３のいずれか一項に記載の貨幣処理装置。
【請求項５】
前記搬送部から前記貨幣投出口に送られるべき前記回収貨幣の種類を前記制御部に入力するための種類入力部を更に備え、
前記モード入力部において前記第２のモードを行うことが前記制御部に入力されたときに、前記種類入力部により、前記搬送部から前記貨幣投出口に送られるべき前記回収貨幣の種類が前記制御部に入力されるようになっていることを特徴とする請求項４記載の貨幣処理装置。
【請求項６】
操作者の情報を前記制御部に入力するための操作者情報入力部を更に備え、
前記操作者情報入力部により前記制御部に入力された操作者の情報が、前記制御部において予め設定された所定の条件を満たす場合にのみ、前記モード入力部により前記第２のモードを行うことを前記制御部に入力することができるようになっていることを特徴とする請求項４または５記載の貨幣処理装置。
【請求項７】
操作者に対して報知を行う報知部を更に備え、
前記制御部において前記第１のモードが行われるときに、前記オーバーフロー部に前記回収貨幣が送られたときに前記報知部はこのことを報知するようになっていることを特徴とする請求項１乃至６のいずれか一項に記載の貨幣処理装置。
【請求項８】
操作者に対して報知を行う報知部を更に備え、
前記制御部において前記第２のモードが行われるときに、前記貨幣投出口に前記回収貨幣が送られたときに前記報知部はこのことを報知するようになっていることを特徴とする請求項１乃至６のいずれか一項に記載の貨幣処理装置。
【請求項９】
前記オーバーフロー部は前記貨幣処理装置の前記機体に対して着脱自在となっていることを特徴とする請求項１乃至８のいずれか一項に記載の貨幣処理装置。
【請求項１０】
前記オーバーフロー部に収納された貨幣を当該オーバーフロー部から繰り出す繰出部と、
前記繰出部により繰り出された貨幣を前記搬送部に送る補充搬送部と、
を更に備えたことを特徴とする請求項１乃至８のいずれか一項に記載の貨幣処理装置。
【請求項１１】
前記搬送部にはオーバーフロー貨幣選別部が設けられており、前記オーバーフロー貨幣および前記回収貨幣は前記オーバーフロー貨幣選別部により前記搬送部から前記オーバーフロー部に直接的に送られるようになっていることを特徴とする請求項１乃至１０のいずれか一項に記載の貨幣処理装置。
【発明の詳細な説明】
【技術分野】
【０００１】
本発明は、紙幣や硬貨等の貨幣の処理を行う貨幣処理装置に関する。
【背景技術】
【０００２】
従来から、紙幣や硬貨等の貨幣の処理を行う貨幣処理装置として、様々なタイプのものが知られている。例えば、特許文献１には、硬貨の入金処理および出金処理を行うことができる硬貨入出金機が開示されている。特許文献１に開示されるような従来の硬貨入出金機では、リサイクル用の硬貨を収納する硬貨収納繰出部と、リサイクルすることができない硬貨を回収硬貨として収納する回収ボックスと、リサイクルすることができるが硬貨収納繰出部が満杯であることにより硬貨収納繰出部に収納することができないオーバーフロー硬貨を収納するオーバーフローボックスとがそれぞれ設けられるようになっている。ここで、回収ボックスに収納された回収硬貨は、店舗の営業時間後に硬貨入出金機から回収ボックスごと回収されるようになっている。また、このような硬貨入出金機では、硬貨収納繰出部内の硬貨が不足すると、オーバーフローボックスを機体から取り外してこのオーバーフローボックス内の硬貨を硬貨受入口に投入することによりオーバーフロー硬貨を硬貨収納繰出部に補充するようになっている。
【先行技術文献】
【特許文献】
【０００３】
【特許文献１】実開平０６−０５１９６２号公報
【発明の概要】
【発明が解決しようとする課題】
【０００４】
特許文献１に開示されるような従来の硬貨入出金機では、硬貨収納繰出部、回収ボックスおよびオーバーフローボックスという３つの収納手段を設けなければならなかったため、機体内の構成が複雑になるとともに、硬貨入出金機の外形が大きくなってしまうという問題があった。このため、従来の硬貨入出金機において装置のコンパクト化やコストダウンを図るために、回収ボックスを省略し、オーバーフローボックス内にオーバーフロー硬貨および回収硬貨を混合状態で収納させる方法が用いられている。しかしながら、このような方法を用いた場合には、オーバーフローボックス内の硬貨を硬貨収納繰出部に補充する際に、回収硬貨は再びオーバーフローボックス内に戻されてしまうため、オーバーフローボックス内の硬貨の補充動作を何回行った場合でも、回収硬貨がいつまでもオーバーフローボックス内に残った状態になってしまい、回収硬貨を適切に回収することができないという問題がある。
【０００５】
本発明は、このような点を考慮してなされたものであり、回収ボックスの設置を省略することができるとともに、回収貨幣を搬送部からオーバーフロー部に送る第１のモードおよび回収貨幣を搬送部から貨幣投出口に送る第２のモードのうちいずれか一方のモードを選択的に行うことにより、オーバーフロー貨幣以外の回収貨幣の回収動作を適切に行うことができる貨幣処理装置を提供することを目的とする。
【課題を解決するための手段】
【０００６】
本発明は、貨幣の処理を行う貨幣処理装置であって、機体外から貨幣を受け入れる貨幣受入口と、前記機体外へ貨幣を投出する貨幣投出口と、前記貨幣受入口により前記機体外から受け入れられた貨幣を搬送する搬送部と、前記搬送部に設けられ、当該搬送部により搬送される貨幣の識別を行う識別部と、前記識別部による貨幣の識別結果に基づいて前記搬送部から貨幣が送られるようになっており、各々が貨幣を収納するとともに収納された貨幣を放出する複数の収納放出部と、前記各収納放出部に収納することができないオーバーフロー貨幣、および前記貨幣処理装置から回収されるべき回収貨幣を収納するオーバーフロー部と、前記搬送部を制御する制御部であって、前記回収貨幣を前記搬送部から前記オーバーフロー部に送る第１のモードおよび前記回収貨幣を前記搬送部から前記貨幣投出口に送る第２のモードのうちいずれか一方のモードを選択的に行う制御部と、を備えたことを特徴とする貨幣処理装置である。
【０００７】
このような貨幣処理装置によれば、各収納放出部に収納することができないオーバーフロー貨幣、および貨幣処理装置から回収されるべき回収貨幣を収納するオーバーフロー部が設けられており、制御部は、回収貨幣を搬送部からオーバーフロー部に送る第１のモードおよび回収貨幣を搬送部から貨幣投出口に送る第２のモードのうちいずれか一方のモードを選択的に行うようになっている。このことにより、回収ボックスの設置を省略することができるとともに、回収貨幣を搬送部から貨幣投出口に送る第２のモードを制御部において行うことにより、オーバーフロー貨幣以外の回収貨幣の回収動作を適切に行うことができるようになる。すなわち、オーバーフロー部内のオーバーフロー貨幣を収納放出部に補充する際に、制御部において第２のモードを行った場合には回収貨幣が再びオーバーフロー部内に戻されてしまうことがない。このため、オーバーフロー部内のオーバーフロー貨幣を収納放出部に補充する補充動作を何回行った場合でも回収貨幣がいつまでもオーバーフロー部内に残った状態になってしまうといったトラブルを防止することができる。
【０００８】
本発明の貨幣処理装置においては、前記制御部において、通常時は前記第１のモードにより前記搬送部の制御が行われるようになっており、前記オーバーフロー部に収納された貨幣が前記貨幣受入口に投入された場合には前記第２のモードにより前記搬送部の制御が行われるようになっていてもよい。
【０００９】
本発明の貨幣処理装置においては、前記制御部において、前記回収貨幣の種類が予め設定されていてもよい。
【００１０】
本発明の貨幣処理装置は、前記第１のモードおよび前記第２のモードのうちどちらのモードを行うかを前記制御部に入力するためのモード入力部を更に備えていてもよい。
【００１１】
本発明の貨幣処理装置は、前記搬送部から前記貨幣投出口に送られるべき前記回収貨幣の種類を前記制御部に入力するための種類入力部を更に備え、前記モード入力部において前記第２のモードを行うことが前記制御部に入力されたときに、前記種類入力部により、前記搬送部から前記貨幣投出口に送られるべき前記回収貨幣の種類が前記制御部に入力されるようになっていてもよい。
【００１２】
本発明の貨幣処理装置は、操作者の情報を前記制御部に入力するための操作者情報入力部を更に備え、前記操作者情報入力部により前記制御部に入力された操作者の情報が、前記制御部において予め設定された所定の条件を満たす場合にのみ、前記モード入力部により前記第２のモードを行うことを前記制御部に入力することができるようになっていてもよい。
【００１３】
本発明の貨幣処理装置は、操作者に対して報知を行う報知部を更に備え、前記制御部において前記第１のモードが行われるときに、前記オーバーフロー部に前記回収貨幣が送られたときに前記報知部はこのことを報知するようになっていてもよい。
【００１４】
本発明の貨幣処理装置は、操作者に対して報知を行う報知部を更に備え、前記制御部において前記第２のモードが行われるときに、前記貨幣投出口に前記回収貨幣が送られたときに前記報知部はこのことを報知するようになっていてもよい。
【００１５】
本発明の貨幣処理装置においては、前記オーバーフロー部は前記貨幣処理装置の前記機体に対して着脱自在となっていてもよい。
【００１６】
本発明の貨幣処理装置は、前記オーバーフロー部に収納された貨幣を当該オーバーフロー部から繰り出す繰出部と、前記繰出部により繰り出された貨幣を前記搬送部に送る補充搬送部と、を更に備えていてもよい。
【００１７】
本発明の貨幣処理装置においては、前記搬送部にはオーバーフロー貨幣選別部が設けられており、前記オーバーフロー貨幣および前記回収貨幣は前記オーバーフロー貨幣選別部により前記搬送部から前記オーバーフロー部に直接的に送られるようになっていてもよい。
【発明の効果】
【００１８】
本発明の貨幣処理装置によれば、回収ボックスの設置を省略することができるとともに、オーバーフロー貨幣以外の回収貨幣の回収動作を適切に行うことができる。
【図面の簡単な説明】
【００１９】
【図１】本発明の一の実施の形態における硬貨入出金機の内部構成の概略を示す側面図である。
【図２】図１に示す硬貨入出金機の内部構成の概略を示す正面図である。
【図３】図１等に示す硬貨入出金機の機能ブロック図である。
【図４】図１等に示す硬貨入出金機における入金処理の動作を示すフローチャートである。
【図５】本発明による他の構成の硬貨入出金機の内部構成の概略を示す側面図である。
【図６】図５に示す硬貨入出金機の内部構成の概略を示す正面図である。
【図７】本発明による更に他の構成の硬貨入出金機の内部構成の概略を示す側面図である。
【発明を実施するための形態】
【００２０】
以下、図面を参照して本発明の一の実施の形態について説明する。図１乃至図４は、本実施の形態に係る硬貨入出金機を示す図である。このうち、図１は、本実施の形態における硬貨入出金機の内部構成の概略を示す側面図であり、図２は、図１に示す硬貨入出金機の内部構成の概略を示す正面図である。また、図３は、図１等に示す硬貨入出金機の機能ブロック図であり、図４は、図１等に示す硬貨入出金機における入金処理の動作を示すフローチャートである。
【００２１】
図１および図２に示すように、硬貨入出金機１０は、略直方体形状の筐体１２と、筐体１２外から硬貨を受け入れる硬貨受入口１４と、硬貨受入口１４に受け入れられた硬貨が送られて貯留されるとともに貯留された硬貨を１枚ずつ繰り出す貯留繰出装置３０とを備えている。また、筐体１２内において、貯留繰出装置３０から繰り出された硬貨を１枚ずつ搬送する入金搬送部２０が設けられており、この入金搬送部２０には、当該入金搬送部２０により搬送される硬貨の識別を行う識別部２２が設けられている。
【００２２】
また、筐体１２内において入金搬送部２０の下方には複数（具体的には８つ）の収納繰出装置５０が設けられている。各収納繰出装置５０は、識別部２２による硬貨の識別結果に基づいて、入金搬送部２０に設けられた選別部２４（後述）により当該入金搬送部２０から硬貨が金種別に送られて収納されるようになっている。また、各収納繰出装置５０は、当該収納繰出装置５０に収納された硬貨を１枚ずつ繰り出すようになっている。
【００２３】
また、硬貨入出金機１０には、筐体１２外へ硬貨を投出する硬貨投出口１８が設けられており、筐体１２内には、各収納繰出装置５０から繰り出された硬貨を硬貨投出口１８に搬送する出金搬送部７０が設けられている。また、筐体１２内において、出金搬送部７０の下方にはオーバーフローボックス８０が設けられている。オーバーフローボックス８０には、対応する金種の収納繰出装置５０が満杯であることにより当該収納繰出装置５０に収納することができないオーバーフロー硬貨、および硬貨入出金機１０から回収されるべき回収硬貨が混合状態で収納されるようになっている。なお、オーバーフロー硬貨および回収硬貨の詳細については後述する。
【００２４】
以下、このような構成からなる硬貨入出金機１０の各構成要素の詳細について説明する。
【００２５】
図２に示すように、筐体１２外から内部に投入された硬貨を受け入れる硬貨受入口１４が筐体１２の上部に設けられており、硬貨受入口１４に受け入れられた硬貨は自重により貯留繰出装置３０に送られるようになっている。硬貨受入口１４から貯留繰出装置３０に送られた硬貨は、当該貯留繰出装置３０に一時的に貯留されるようになっている。
【００２６】
図２に示すように、貯留繰出装置３０は、鉛直方向に対して所定角度で傾斜しており傾斜姿勢で回転させられる回転円盤３２と、この回転円盤３２の表面３２ｂとの間に硬貨を貯留する硬貨貯留空間３３を形成するカバー部材３４と、を備えている。
【００２７】
図１に示すように、入金搬送部２０は、第１の入金搬送部分２０ａと、折り返し入金搬送部分２０ｂと、第２の入金搬送部分２０ｃとを有している。第１の入金搬送部分２０ａは、略水平方向に沿って延び、貯留繰出装置３０から繰り出された硬貨を搬送するようになっている。折り返し入金搬送部分２０ｂは、第１の入金搬送部分２０ａから送られた硬貨を搬送し、この際に硬貨の搬送方向を逆方向に変えるようになっている。第２の入金搬送部分２０ｃは、略水平方向に沿って延び、折り返し入金搬送部分２０ｂから送られた硬貨を搬送するようになっている。ここで、第１の入金搬送部分２０ａは、図１における右方向に硬貨を１枚ずつ搬送するようになっており、第２の入金搬送部分２０ｃは、図１における左方向に硬貨を１枚ずつ搬送するようになっている。また、折り返し入金搬送部分２０ｂは、半円に沿って延びるような湾曲形状となっており、硬貨の搬送方向を図１における右方向から左方向に変えるようになっている。
【００２８】
また、図１に示すように、第１の入金搬送部分２０ａ、折り返し入金搬送部分２０ｂおよび第２の入金搬送部分２０ｃから構成される入金搬送部２０は、複数のプーリに張架された無端状ベルト２０ｐから構成されている。そして、一のプーリに取り付けられたモータにより無端状ベルト２０ｐは図１における反時計回りの方向に循環移動させられるようになっている。また、この無端状ベルト２０ｐには複数の突起部材（図示せず）が等間隔で設けられており、一の突起部材に硬貨が１枚引っ掛けられることにより、搬送面上で硬貨が１枚ずつ搬送させられるようになっている。
【００２９】
図１および図２に示すように、第１の入金搬送部分２０ａおよび第２の入金搬送部分２０ｃにはそれぞれ複数の選別部２４（２４ａ〜２４ｃ）が設けられている。より具体的には、第１の入金搬送部分２０ａには５つの選別部２４が設けられており、第２の入金搬送部分２０ｃにも５つの選別部２４が設けられている。また、図１に示すように、第１の入金搬送部分２０ａにおける各選別部２４の上流側には識別部２２が設けられており、この識別部２２は、貯留繰出装置３０から繰り出された硬貨の金種、真偽、正損等の識別を行うようになっている。そして、第１の入金搬送部分２０ａや第２の入金搬送部分２０ｃに設けられた各選別部２４は、識別部２２による硬貨の識別結果に基づいて、これらの第１の入金搬送部分２０ａや第２の入金搬送部分２０ｃにより搬送される硬貨を選別して硬貨投出口１８や各収納繰出装置５０、あるいはオーバーフローボックス８０に送るようになっている。具体的には、第１の入金搬送部分２０ａおよび第２の入金搬送部分２０ｃに設けられた合計１０つの選別部２４のうち、１つの選別部２４ａはリジェクト硬貨選別部として機能するようになっており、この選別部２４ａによりリジェクト硬貨が選別されて硬貨投出口１８に送られるようになっている。また、１０つの選別部２４のうち、１つの選別部２４ｂはオーバーフロー硬貨選別部として機能するようになっており、この選別部２４ｂによりオーバーフロー硬貨や回収硬貨が選別されてオーバーフローボックス８０に送られるようになっている。また、リジェクト硬貨選別部やオーバーフロー硬貨選別部として機能する選別部２４ａ、２４ｂ以外の８つの選別部２４ｃは、各収納繰出装置５０に対応するようになっている。また、各選別部２４には、それぞれ対応するシュート２６が設けられている。そして、選別部２４により選別された硬貨は、この選別部２４に設けられたシュート２６を介して、硬貨投出口１８や、対応する収納繰出装置５０、あるいはオーバーフローボックス８０に送られるようになる。
【００３０】
より詳細に説明すると、１０つの選別部２４のうち、第１の入金搬送部分２０ａにおける最も上流側の位置に設けられた選別部２４ａ（すなわち、図１における第１の入金搬送部分２０ａに設けられた５つの選別部２４のうち最も左側に配置された選別部２４ａ）は、リジェクト硬貨の選別を行うリジェクト硬貨選別部として機能するようになっている。すなわち、識別部２２により識別された硬貨のうちリジェクト硬貨と識別された硬貨はこのリジェクト硬貨選別部２４ａにより選別されて硬貨投出口１８に送られるようになる。また、第１の入金搬送部分２０ａにおける最も下流側の位置に設けられた選別部２４ｂ（すなわち、図１における第１の入金搬送部分２０ａに設けられた５つの選別部２４のうち最も右側に配置された選別部２４ｂ）は、オーバーフロー硬貨や回収硬貨の選別を行うオーバーフロー硬貨選別部として機能するようになっている。すなわち、識別部２２により識別された硬貨のうちオーバーフロー硬貨や回収硬貨と識別された硬貨はこのオーバーフロー硬貨選別部２４ｂにより選別されてオーバーフローボックス８０に送られるようになる。なお、後述するように、識別部２２により識別された硬貨が回収硬貨であった場合において、この回収硬貨がオーバーフロー硬貨選別部２４ｂにより選別されてオーバーフローボックス８０に送られることなく代わりにリジェクト硬貨選別部２４ａにより選別されて硬貨投出口１８に送られるときもある。
【００３１】
また、１０つの選別部２４のうち、上述のようなリジェクト硬貨選別部やオーバーフロー硬貨選別部として機能する選別部２４ａ、２４ｂ以外の８つの選別部２４ｃは、それぞれ、金種別に硬貨を選別する金種別硬貨選別部として機能するようになっている。すなわち、識別部２２により識別された硬貨の金種に基づいて、各金種別硬貨選別部２４ｃにより硬貨は金種別に各収納繰出装置５０に送られるようになる。
【００３２】
図１に示すように、入金搬送部２０の下方には複数、具体的には８つの収納繰出装置５０が設けられている。ここで、複数の収納繰出装置５０は、同一の構成のものからなるようになっている。具体的には、各収納繰出装置５０は、入金搬送部２０から各選別部２４ｃにより選別されて送られた硬貨を収納するとともに、収納された硬貨を１枚ずつ収納繰出装置５０の外部に繰り出すようになっている。各収納繰出装置５０は、鉛直方向に対して所定角度で傾斜しており傾斜姿勢で回転させられる回転円盤５２と、この回転円盤５２の表面５２ｂとの間に硬貨を収納する硬貨収納空間５３を形成するカバー部材５４と、を備えている。
【００３３】
前述のように、筐体１２内には出金搬送部７０が設けられており、この出金搬送部７０は、各収納繰出装置５０から繰り出された硬貨を硬貨投出口１８に搬送するようになっている。ここで、出金搬送部７０は、各収納繰出装置５０の下方に設けられ略水平方向に沿って延びる第１の出金搬送部分７０ａと、第１の出金搬送部分７０ａから送られた硬貨を硬貨投出口１８に搬送する第２の出金搬送部分７０ｂとを有している。
【００３４】
第１の出金搬送部分７０ａおよび第２の出金搬送部分７０ｂから構成される出金搬送部７０は、複数のプーリに張架された無端状ベルト７０ｐから構成されている。そして、一のプーリに取り付けられたモータにより無端状ベルト７０ｐは図１における時計回りおよび反時計回りの両方向に循環移動させられるようになっている。また、この無端状ベルト７０ｐには複数の突起部材（図示せず）が等間隔で設けられており、一の突起部材に硬貨が１枚以上引っ掛けられることにより、無端状ベルト７０ｐにより硬貨が１枚以上ずつ搬送させられるようになっている。また、各収納繰出装置５０の一方の側の側方（図２における右方）には硬貨出金空間が形成されており、この硬貨出金空間において、各収納繰出装置５０から繰り出された硬貨が出金搬送部７０の第１の出金搬送部分７０ａにおける無端状ベルト７０ｐ上に落下するようになっている。また、各収納繰出装置５０の他方の側の側方（図２における左方）には、入金搬送部２０に設けられた選別部２４から各収納繰出装置５０に硬貨を搬送するシュート２６が設けられている。
【００３５】
このような出金搬送部７０において、無端状ベルト７０ｐが図１における反時計回りの方向に循環移動させられるときには、各収納繰出装置５０から繰り出された硬貨が自重により第１の出金搬送部分７０ａにおける無端状ベルト７０ｐ上に落下した後、無端状ベルト７０ｐ上の硬貨は第１の出金搬送部分７０ａから第２の出金搬送部分７０ｂに送られる。そして、第２の出金搬送部分７０ｂにおいて無端状ベルト７０ｐの突起部材に引っ掛けられた硬貨は図１における上方に移動させられ、最終的に第２の出金搬送部分７０ｂの上端部から硬貨投出口１８に送られるようになる。一方、無端状ベルト７０ｐが図１における時計回りの方向に循環移動させられるときには、各収納繰出装置５０から繰り出された硬貨は自重により第１の出金搬送部分７０ａにおける無端状ベルト７０ｐ上に落下するが、無端状ベルト７０ｐ上の硬貨は第１の出金搬送部分７０ａから後述するオーバーフローボックス８０に送られ、最終的にオーバーフローボックス８０に収納されるようになる。
【００３６】
前述のように、筐体１２内において、各収納繰出装置５０の下方にはオーバーフローボックス８０が設けられている。このオーバーフローボックス８０は筐体１２に対して着脱自在に設けられている。また、前述のように、オーバーフローボックス８０には出金搬送部７０における第１の出金搬送部分７０ａから硬貨が送られるようになっている。また、入金搬送部２０においてオーバーフロー硬貨選別部２４ｂにより選別された硬貨がオーバーフローボックス８０に直接的に送られる場合もある。前述したように、オーバーフローボックス８０には、対応する金種の収納繰出装置５０が満杯であることにより当該収納繰出装置５０に収納することができないオーバーフロー硬貨、および硬貨入出金機１０には受け付けるが当該硬貨入出金機１０から回収されるべき回収硬貨が収納されるようになっている。
【００３７】
また、硬貨入出金機１０内には、当該硬貨入出金機１０の各構成要素の制御を行う制御部９０が設けられている。制御部９０の構成について図３を用いて説明する。図３に示すように、制御部９０は、入金搬送部２０、貯留繰出装置３０、識別部２２、選別部２４、収納繰出装置５０、出金搬送部７０等にそれぞれ接続されている。そして、識別部２２による硬貨の識別結果が制御部９０に送られるようになっており、また、制御部９０から入金搬送部２０、貯留繰出装置３０、選別部２４、収納繰出装置５０、出金搬送部７０等にそれぞれ指令を送ることにより制御部９０はこれらの構成要素の制御を行うようになっている。
【００３８】
また、硬貨入出金機１０の筐体１２の上面または前面には操作表示部９２（図１および図２では図示せず）が設けられており、この操作表示部９２は制御部９０に接続されている。操作表示部９２は、例えばタッチパネル式のディスプレイ等からなる。そして、操作表示部９２によって操作者により入力された情報は制御部９０に送られるようになっており、また、制御部９０から操作表示部９２に情報を送ることによりこの操作表示部９２で様々な表示を行わせるようになっている。また、硬貨入出金機１０の筐体１２の上面または前面にはカードリーダ９５（図１および図２では図示せず）が設けられており、このカードリーダ９５により操作者が携帯するＩＤカードのＩＤ情報を読み取るようになっている。カードリーダ９５は制御部９０に接続されており、カードリーダ９５により読み取られた操作者のＩＤ情報は制御部９０に送られるようになっている。また、制御部９０には記憶部９６が接続されており、この記憶部９６には硬貨入出金機１０の様々な設定情報や、各収納繰出装置５０に収納された硬貨の金種毎の枚数等の収納情報が記憶されるようになっている。また、制御部９０にはインターフェース９８が接続されており、このインターフェース９８を介して制御部９０は硬貨入出金機１０以外の外部装置（例えば上位装置）と情報の送受信を行うことができるようになっている。
【００３９】
また、本実施の形態の硬貨入出金機１０においては、制御部９０は、回収硬貨を入金搬送部２０からオーバーフロー硬貨選別部２４ｂによりオーバーフローボックス８０に送る第１のモード、および回収硬貨を入金搬送部２０からリジェクト硬貨選別部２４ａにより硬貨投出口１８に送る第２のモードのうちいずれか一方のモードを選択して実行するようになっている。より詳細には、図３に示すように、操作表示部９２にはモード入力部９３が設けられており、このモード入力部９３により、第１のモードおよび第２のモードのうちどちらのモードを行うかを操作者が制御部９０に入力することができるようになっている。また、制御部９０において、回収硬貨の種類が予め設定されるようになっている。具体的には、制御部９０において、各収納繰出装置５０に割り当てられていない金種の硬貨、外貨、損貨、記念貨、旧貨等が回収硬貨として設定されるようになっている。
【００４０】
より詳細には、制御部９０において、通常時は第１のモードにより入金搬送部２０における各選別部２４の制御が行われるようになっている。一方、オーバーフローボックス８０が硬貨入出金機１０から取り出されてこのオーバーフローボックス８０に収納された硬貨が硬貨受入口１４に投入された場合には、制御部９０において第２のモードにより入金搬送部２０における各選別部２４の制御が行われるようになっている。すなわち、通常時は、回収硬貨は入金搬送部２０からオーバーフロー硬貨選別部２４ｂによりオーバーフローボックス８０に送られるようになり、一方、オーバーフローボックス８０に収納された硬貨が硬貨受入口１４に投入された場合には、回収硬貨は入金搬送部２０からリジェクト硬貨選別部２４ａにより硬貨投出口１８に送られるようになる。なお、本実施の形態の硬貨入出金機１０においてはこのような態様に限定されることはなく、オーバーフローボックス８０が硬貨入出金機１０から取り出されてこのオーバーフローボックス８０に収納された硬貨が硬貨受入口１４に投入された場合でも、例えば操作者によってモード入力部９３により第１のモードが選択されたときには、制御部９０は第１のモードを実行するようになる。
【００４１】
また、図３に示すように、操作表示部９２には、制御部９０において第２のモードが実行されるときに入金搬送部２０からリジェクト硬貨選別部２４ａにより硬貨投出口１８に送られるべき回収硬貨の種類を制御部９０に入力するための種類入力部９４が設けられている。そして、モード入力部９３により第２のモードを行うことが操作者によって制御部９０に入力されたときに、種類入力部９４によって、入金搬送部２０からリジェクト硬貨選別部２４ａにより硬貨投出口１８に送られるべき回収硬貨の種類が操作者により制御部９０に入力されるようになっている。
【００４２】
次に、このような構成からなる硬貨入出金機１０の動作について説明する。なお、以下に示す硬貨入出金機１０の動作は、制御部９０が硬貨入出金機１０の各構成要素を制御することにより行われるようになっている。
【００４３】
まず、硬貨入出金機１０へ硬貨を入金する入金処理の動作について図４に示すフローチャートを用いて説明する。入金処理を行うにあたり、操作者は操作表示部９２のモード入力部９３により第１のモードおよび第２のモードのうちどちらのモードを行うかを制御部９０に入力する。一般的には、通常時は第１のモードを行うことを操作者は選択する。一方、硬貨入出金機１０の筐体１２からオーバーフローボックス８０を取り外してこのオーバーフローボックス８０に収納された硬貨を硬貨受入口１４に投入する場合には第２のモードを行うことを操作者は選択する。なお、後者の場合でも操作者は第１のモードを行うことを選択してもよい。また、モード入力部９３により第２のモードを行うことが制御部９０に入力されたときには、種類入力部９４によって操作者は入金搬送部２０から硬貨投出口１８に送られるべき回収硬貨の種類を制御部９０に入力する。また、入金処理の動作を行う前に、操作者は自分が携帯するＩＤカードをカードリーダ９５により読み取らせ、操作者のＩＤ情報を制御部９０に送るようにする。そして、カードリーダ９５により制御部９０に入力された操作者のＩＤ情報が、制御部９０において予め設定された所定の条件を満たす場合にのみ、具体的には操作者が所定の権限を有する場合にのみ、モード入力部９３により第２のモードを行うことを制御部９０に入力することができるようになっている。すなわち、所定の権限を有しないような操作者は、モード入力部９３により第２のモードを行うことを制御部９０に入力することができず、第１のモードしか行うことができないようになっている。
【００４４】
操作者がモード入力部９３により第１のモードおよび第２のモードのうちどちらのモードを行うかを制御部９０に入力した後、硬貨入出金機１０の硬貨受入口１４に硬貨が投入されると、この硬貨は自重により落下して貯留繰出装置３０に送られる。そして、貯留繰出装置３０において回転円盤３２が図１における反時計回りの方向に回転することにより、硬貨貯留空間３３内で貯留され回転円盤３２の下部領域にある硬貨は、回転円盤３２の下部領域から上部領域に拾い上げられる。その後、回転円盤３２の上部領域に拾い上げられた硬貨は貯留繰出装置３０の出口へ向けて押し出され、最終的に入金搬送部２０の無端状ベルト２０ｐに送られる。このようにして、貯留繰出装置３０に貯留された硬貨が１枚ずつ入金搬送部２０に繰り出される（ＳＴＥＰ１）。
【００４５】
貯留繰出装置３０から入金搬送部２０に繰り出された硬貨は当該入金搬送部２０の無端状ベルト２０ｐにより搬送される。具体的には、まず識別部２２により硬貨の識別が行われる（ＳＴＥＰ２）。そして、制御部９０において第１のモードが実行されている場合において（ＳＴＥＰ３の「ＹＥＳ」）、識別部２２によりリジェクト硬貨であると識別された硬貨は（ＳＴＥＰ４の「ＹＥＳ」）、入金搬送部２０からリジェクト硬貨選別部２４ａにより選別されて硬貨投出口１８に送られる（ＳＴＥＰ５）。また、制御部９０において第１のモードが実行されている場合において（ＳＴＥＰ３の「ＹＥＳ」）、識別部２２により回収硬貨であると識別された硬貨は（ＳＴＥＰ６の「ＹＥＳ」）、入金搬送部２０からオーバーフロー硬貨選別部２４ｂにより選別されてオーバーフローボックス８０に送られる（ＳＴＥＰ７）。なお、前述したように、回収硬貨の種類は、制御部９０において予め設定されている。具体的には、制御部９０において、例えば各収納繰出装置５０に割り当てられていない金種の硬貨、外貨、損貨、記念貨、旧貨等が回収硬貨として設定されており、識別部２２においてこれらのものに該当すると識別された硬貨は回収硬貨としてオーバーフローボックス８０に送られるようになる。また、制御部９０において第１のモードが実行されている場合において（ＳＴＥＰ３の「ＹＥＳ」）、識別部２２によりオーバーフロー硬貨であると識別された硬貨は（ＳＴＥＰ８の「ＹＥＳ」）、入金搬送部２０からオーバーフロー硬貨選別部２４ｂにより選別されてオーバーフローボックス８０に送られる（ＳＴＥＰ７）。なお、オーバーフロー硬貨とは、リジェクト硬貨や回収硬貨ではない正常な硬貨のうち、対応する金種の収納繰出装置５０が満杯でありこの収納繰出装置５０に収納することができないような硬貨のことをいう。また、制御部９０において第１のモードが実行されている場合において（ＳＴＥＰ３の「ＹＥＳ」）、識別部２２により正常な硬貨であると識別されかつオーバーフロー硬貨ではない場合には（ＳＴＥＰ８の「ＮＯ」）、識別部２２により識別された硬貨の金種に基づいて、各金種別硬貨選別部２４ｃにより金種別に選別され、各金種別硬貨選別部２４ｃに対応する収納繰出装置５０に送られて収納される（ＳＴＥＰ９）。
【００４６】
一方、制御部９０において第１のモードが実行されていない場合、すなわち第２のモードが実行されている場合において（ＳＴＥＰ３の「ＮＯ」）、識別部２２によりリジェクト硬貨であると識別された硬貨は（ＳＴＥＰ１０の「ＹＥＳ」）、入金搬送部２０からリジェクト硬貨選別部２４ａにより選別されて硬貨投出口１８に送られる（ＳＴＥＰ１１）。また、制御部９０において第２のモードが実行されている場合において（ＳＴＥＰ３の「ＮＯ」）、識別部２２により回収硬貨であると識別された硬貨は（ＳＴＥＰ１２の「ＹＥＳ」）、入金搬送部２０からリジェクト硬貨選別部２４ａにより選別されて硬貨投出口１８に送られる（ＳＴＥＰ１１）。なお、硬貨投出口１８に送られる回収硬貨は、種類入力部９４により制御部９０に入力された種類の回収硬貨に限られる。それ以外の種類の回収硬貨は、入金搬送部２０からオーバーフロー硬貨選別部２４ｂにより選別されてオーバーフローボックス８０に送られる。
【００４７】
また、制御部９０において第２のモードが実行されている場合において（ＳＴＥＰ３の「ＮＯ」）、識別部２２によりオーバーフロー硬貨であると識別された硬貨は（ＳＴＥＰ１３の「ＹＥＳ」）、入金搬送部２０からオーバーフロー硬貨選別部２４ｂにより選別されてオーバーフローボックス８０に送られる（ＳＴＥＰ１４）。また、制御部９０において第２のモードが実行されている場合において（ＳＴＥＰ３の「ＮＯ」）、識別部２２により正常な硬貨であると識別されかつオーバーフロー硬貨ではない場合には（ＳＴＥＰ１３の「ＮＯ」）、識別部２２により識別された硬貨の金種に基づいて、各金種別硬貨選別部２４ｃにより金種別に選別され、各金種別硬貨選別部２４ｃに対応する収納繰出装置５０に送られて収納される（ＳＴＥＰ１５）。
【００４８】
また、制御部９０において第１のモードが実行されている場合において（ＳＴＥＰ３の「ＹＥＳ」）、オーバーフローボックス８０に回収硬貨が送られたときには（ＳＴＥＰ７）、操作表示部９２にこのことが表示されるようになっている。また、制御部９０において第２のモードが実行されている場合において（ＳＴＥＰ３の「ＮＯ」）、硬貨投出口１８に回収硬貨が送られたときには（ＳＴＥＰ１１）、操作表示部９２にこのことが表示されるようになっている。このように、操作表示部９２は、回収硬貨がオーバーフローボックス８０や硬貨投出口１８に送られたときにこのことを操作者に報知する報知部として機能するようになっている。
【００４９】
上述した図４のＳＴＥＰ１〜ＳＴＥＰ１５に示す動作は、貯留繰出装置３０から硬貨が全て繰り出されて硬貨投出口１８、各収納繰出装置５０あるいはオーバーフローボックス８０に送られるまで繰り返し行われる（ＳＴＥＰ１６の「ＮＯ」）。そして、貯留繰出装置３０から硬貨が全て繰り出されて硬貨投出口１８、各収納繰出装置５０あるいはオーバーフローボックス８０に送られると（ＳＴＥＰ１６の「ＹＥＳ」）、硬貨入出金機１０における硬貨の入金処理が終了する。
【００５０】
次に、硬貨入出金機１０から硬貨を出金する出金処理の動作について説明する。硬貨入出金機１０から硬貨を出金する際には、出金すべき硬貨の金種に対応する収納繰出装置５０から、収納された硬貨を繰り出して出金搬送部７０に送る。より詳細には、収納繰出装置５０から繰り出された硬貨は自重により第１の出金搬送部分７０ａにおける無端状ベルト７０ｐ上に落下する。この際に、収納繰出装置５０からは図２における右方向に硬貨が繰り出されるようになる。
【００５１】
また、硬貨入出金機１０から硬貨を出金する際には、出金搬送部７０の無端状ベルト７０ｐは図１における反時計回りの方向に循環移動するようになっている。このことにより、各収納繰出装置５０から繰り出された硬貨が自重により第１の出金搬送部分７０ａにおける無端状ベルト７０ｐ上に落下した後、無端状ベルト７０ｐ上の硬貨は第１の出金搬送部分７０ａから第２の出金搬送部分７０ｂに送られる。そして、第２の出金搬送部分７０ｂにおいて無端状ベルト７０ｐの突起部材に引っ掛けられた硬貨は図１における上方に移動させられ、最終的に第２の出金搬送部分７０ｂの上端部から硬貨投出口１８に送られる。このようにして、収納繰出装置５０から所定の金額の硬貨が繰り出され、出金搬送部７０を介して硬貨投出口１８に送られると、硬貨入出金機１０における硬貨の出金処理が終了する。
【００５２】
以上のように本実施の形態の硬貨入出金機１０によれば、各収納繰出装置５０に収納することができないオーバーフロー硬貨、および硬貨入出金機１０から回収されるべき回収硬貨を収納するオーバーフローボックス８０が設けられており、制御部９０は、回収硬貨を入金搬送部２０からオーバーフローボックス８０に送る第１のモードおよび回収硬貨を入金搬送部２０から硬貨投出口１８に送る第２のモードのうちいずれか一方のモードを選択的に行うようになっている。このことにより、回収ボックスの設置を省略することができるとともに、回収硬貨を入金搬送部２０から硬貨投出口１８に送る第２のモードを制御部９０において行うことにより、オーバーフロー硬貨以外の回収硬貨の回収動作を適切に行うことができるようになる。すなわち、オーバーフローボックス８０内のオーバーフロー硬貨を各収納繰出装置５０に補充する際に、制御部９０において第２のモードを行った場合には回収硬貨が再びオーバーフローボックス８０内に戻されてしまうことがない。このため、オーバーフローボックス８０内のオーバーフロー硬貨を各収納繰出装置５０に補充する補充動作を何回行った場合でも回収硬貨がいつまでもオーバーフローボックス８０内に残った状態になってしまうといったトラブルを防止することができる。
【００５３】
また、本実施の形態の硬貨入出金機１０においては、制御部９０において、通常時は第１のモードにより入金搬送部２０の制御が行われるようになっており、一方、オーバーフローボックス８０に収納された硬貨が硬貨受入口１４に投入された場合には第２のモードにより入金搬送部２０の制御が行われるようになっている。このことにより、オーバーフローボックス８０内の硬貨を硬貨受入口１４に投入して収納繰出装置５０に補充する際に、オーバーフローボックス８０内の回収硬貨は硬貨投出口１８に送られるようになるため、この回収硬貨を確実に回収することができるようになる。
【００５４】
また、本実施の形態の硬貨入出金機１０においては、前述のように、制御部９０において回収硬貨の種類が予め設定されている。
【００５５】
また、本実施の形態の硬貨入出金機１０においては、第１のモードおよび第２のモードのうちどちらのモードを行うかを制御部９０に入力するためのモード入力部９３が設けられている。このことにより、操作者は、モード入力部９３によって第１のモードおよび第２のモードのうちどちらのモードを行うかを選択することができ、回収硬貨を硬貨投出口１８に送るかまたはオーバーフローボックス８０に送るかを設定することができるようになる。また、モード入力部９３において第２のモードを行うことが制御部９０に入力されたときに、種類入力部９４により、入金搬送部２０から硬貨投出口１８に送られるべき回収硬貨の種類が制御部９０に入力されるようになっている。このことにより、制御部９０が第２のモードを実行する際に、硬貨投出口１８に送られる回収硬貨の種類を設定することができるようになる。
【００５６】
また、本実施の形態の硬貨入出金機１０においては、操作者のＩＤ情報を制御部９０に入力するためのカードリーダ９５（操作者情報入力部）が設けられており、カードリーダ９５により読み取られ制御部９０に入力された操作者のＩＤ情報が、制御部９０において予め設定された所定の条件を満たす場合にのみ、モード入力部９３により第２のモードを行うことを制御部９０に入力することができるようになっている。このことにより、操作者が所定の権限を有する場合にのみ、モード入力部９３により第２のモードを行うことを制御部９０に入力することができるようになり、回収硬貨を回収することができるようになる。すなわち、所定の権限を有しないような操作者は、モード入力部９３により第２のモードを行うことを制御部９０に入力することができず、第１のモードしか行うことができないようになり、回収硬貨の回収を行うことができないようになる。なお、操作者の情報（具体的には、操作者が所定の権限を有するか否か等）を確認する方法としては、操作者が携帯するＩＤカードをカードリーダ９５により読み取らせる方法に限定されることはない。他の方法としては、例えば操作者は操作表示部９２により自己のＩＤ情報を入力するようになっており、制御部９０はこの入力された操作者のＩＤ情報が所定の条件を満たすか否かを判断するようになっていてもよい。
【００５７】
また、本実施の形態の硬貨入出金機１０においては、制御部９０において第１のモードが実行されている場合において、オーバーフローボックス８０に回収硬貨が送られたときには、操作表示部９２にこのことが表示されるようになっている。また、制御部９０において第２のモードが実行されている場合において、硬貨投出口１８に回収硬貨が送られたときには、操作表示部９２にこのことが表示されるようになっている。このように、操作表示部９２は、回収硬貨がオーバーフローボックス８０や硬貨投出口１８に送られたときにこのことを操作者に報知する報知部として機能するようになっている。回収硬貨がオーバーフローボックス８０や硬貨投出口１８に送られたときに操作表示部９２にこのことが表示されるため、操作者は、硬貨入出金機１０に投入された回収硬貨の行方を操作表示部９２の表示により確認することができるようになる。
【００５８】
また、本実施の形態の硬貨入出金機１０においては、オーバーフローボックス８０は硬貨入出金機１０の筐体１２に対して着脱自在となっている。また、入金搬送部２０にはオーバーフロー硬貨選別部２４ｂが設けられており、オーバーフロー硬貨および回収硬貨はオーバーフロー硬貨選別部２４ｂにより入金搬送部２０からオーバーフローボックス８０に直接的に送られるようになっている。
【００５９】
なお、本実施の形態による硬貨入出金機１０は、上記の態様に限定されるものではなく、様々の変更を加えることができる。本実施の形態による硬貨入出金機の他の構成について、図５および図６を用いて説明する。図５は、変形例に係る硬貨入出金機１０ａの内部構成の概略を示す側面図であり、図６は、図５に示す硬貨入出金機１０ａの内部構成の概略を示す正面図である。
【００６０】
図５および図６に示す硬貨入出金機１０ａは、図１乃至図４に示す硬貨入出金機１０と比較して、入金搬送部２０からオーバーフローボックス８０にオーバーフロー硬貨や回収硬貨を直接的に送るオーバーフロー硬貨選別部２４ｂが設けられていない点が異なるのみであり、他の構成については図１乃至図４に示す硬貨入出金機１０と実質的に同一となっている。
【００６１】
図５および図６に示す硬貨入出金機１０ａでは、８つの収納繰出装置５０のうち１または複数の収納繰出装置５０は、回収硬貨やオーバーフロー硬貨を一時的に保留するための一時保留部として使用されるようになっている。そして、制御部９０において第１のモードが実行されている場合において、識別部２２により回収硬貨やオーバーフロー硬貨であると識別された硬貨は、入金搬送部２０から選別部２４ｃにより選別されて一時保留部としての収納繰出装置５０に送られる。そして、貯留繰出装置３０から硬貨が全て繰り出されて硬貨投出口１８や各収納繰出装置５０に送られると、一時保留部としての収納繰出装置５０から回収硬貨やオーバーフロー硬貨を繰り出して出金搬送部７０に送る。この際に、出金搬送部７０の無端状ベルト７０ｐは図５における時計回りの方向に循環移動するようになっている。このことにより、各収納繰出装置５０から繰り出された回収硬貨やオーバーフロー硬貨が自重により第１の出金搬送部分７０ａにおける無端状ベルト７０ｐ上に落下した後、無端状ベルト７０ｐ上の硬貨はオーバーフローボックス８０に送られる。このようにして、回収硬貨やオーバーフロー硬貨はオーバーフローボックス８０に収納されるようになる。
【００６２】
また、制御部９０において第２のモードが実行されている場合には、識別部２２により回収硬貨であると識別された硬貨はリジェクト硬貨選別部２４ａにより硬貨投出口１８に送られるが、識別部２２によりオーバーフロー硬貨であると識別された硬貨は、入金搬送部２０から選別部２４ｃにより選別されて一時保留部としての収納繰出装置５０に送られる。そして、貯留繰出装置３０から硬貨が全て繰り出されて硬貨投出口１８や各収納繰出装置５０に送られると、一時保留部としての収納繰出装置５０からオーバーフロー硬貨を繰り出して出金搬送部７０に送る。この際に、出金搬送部７０の無端状ベルト７０ｐは図５おける時計回りの方向に循環移動するようになっている。このことにより、各収納繰出装置５０から繰り出されたオーバーフロー硬貨が自重により第１の出金搬送部分７０ａにおける無端状ベルト７０ｐ上に落下した後、無端状ベルト７０ｐ上の硬貨はオーバーフローボックス８０に送られる。このようにして、オーバーフロー硬貨はオーバーフローボックス８０に収納されるようになる。
【００６３】
また、更に他の変形例として、オーバーフロー硬貨および回収硬貨を収納するオーバーフロー部として、オーバーフローボックス８０の代わりに、８つの収納繰出装置５０のうち１または複数の収納繰出装置５０を用いるようになっていてもよい。この場合には、制御部９０において第１のモードが実行されている場合には、識別部２２によりオーバーフロー硬貨や回収硬貨であると識別された硬貨は、選別部２４ｃにより選別されて入金搬送部２０からオーバーフロー部としての収納繰出装置５０に送られるようになる。また、制御部９０において第２のモードが実行されている場合には、識別部２２により回収硬貨であると識別された硬貨はリジェクト硬貨選別部２４ａにより硬貨投出口１８に送られるが、識別部２２によりオーバーフロー硬貨であると識別された硬貨は、選別部２４ｃにより選別されて入金搬送部２０からオーバーフロー部としての収納繰出装置５０に送られるようになる。
【００６４】
また、更に他の変形例として、図７に示すように、オーバーフローボックス８０が筐体１２から着脱自在となっている代わりに、オーバーフローボックス８０に収納された硬貨を当該オーバーフローボックス８０から繰り出す繰出部８２が設けられるようになっていてもよい。この場合には、繰出部８２により繰り出された硬貨を入金搬送部２０（更に詳細には、入金搬送部２０における識別部２２よりも上流側の箇所）に送る補充搬送部８４が設けられている。このような硬貨入出金機１０ｂによれば、オーバーフローボックス８０に収納されたオーバーフロー硬貨や回収硬貨を自動的に入金搬送部２０に送ることができるようになるため、操作者が手動でオーバーフローボックス８０に収納された硬貨を硬貨受入口１４に投入する手間を省くことができるようになる。
【００６５】
また、本発明による貨幣処理装置は、硬貨の入出金処理を行う硬貨入出金機に限定されることはない。本発明の貨幣処理装置として、紙幣の処理を行う紙幣処理装置を用いてもよい。このような紙幣処理装置においては、各収納放出部に収納することができないオーバーフロー紙幣、および紙幣処理装置から回収されるべき回収紙幣がオーバーフローボックス等のオーバーフロー部に収納されるようになる。また、搬送部を制御する制御部は、回収紙幣を搬送部からオーバーフロー部に送る第１のモードおよび回収紙幣を搬送部から紙幣投出口に送る第２のモードのうちいずれか一方のモードを選択的に行うようになる。
【符号の説明】
【００６６】
１０、１０ａ、１０ｂ  硬貨入出金機
１２  筐体
１４  硬貨受入口
１８  硬貨投出口
２０  入金搬送部
２０ａ  第１の入金搬送部分
２０ｂ  折り返し入金搬送部分
２０ｃ  第２の入金搬送部分
２０ｐ  無端状ベルト
２２  識別部
２４  選別部
２４ａ  リジェクト硬貨選別部
２４ｂ  オーバーフロー硬貨選別部
２４ｃ  金種別硬貨選別部
２５  開口部
２６  シュート
３０  貯留繰出装置
３２  回転円盤
３２ｂ  表面
３３  硬貨貯留空間
３４  カバー部材
５０  収納繰出装置
５２  回転円盤
５２ｂ  表面
５３  硬貨収納空間
５４  カバー部材
７０  出金搬送部
７０ａ  第１の出金搬送部分
７０ｂ  第２の出金搬送部分
７０ｐ  無端状ベルト
８０  オーバーフローボックス
８２  繰出部
８４  補充搬送部
９０  制御部
９２  操作表示部
９３  モード入力部
９４  種類入力部
９５  カードリーダ
９６  記憶部
９８  インターフェース
【図１】
2013012058.tif 000003
【図２】
2013012058.tif 000004
【図３】
2013012058.tif 000005
【図４】
2013012058.tif 000006
【図５】
2013012058.tif 000007
【図６】
2013012058.tif 000008
【図７】
2013012058.tif 000009